(57)【要約】【課題】一般照明ランプとしての他に、水中でも浮上して水面を照明でき、遊魚ランプ、又は救助ランプとして多用途に使用できること。【解決手段】本体と、本体に配設される防水用笠とから構成され、本体の前端に発光ユニットが設けられ、本体の前端の外縁には接続台が配設され、防水用笠は透光性を有し中空で、その内部にエアを充満している。【選択図】図２
2010212064.tif 000002
【特許請求の範囲】
【請求項１】
本体と、前記本体に配設されている防水用笠と、から構成される移動可能な防水性付き照明ランプにおいて、
前記本体の前端には発光ユニットが設けられており、前記本体の前端の外縁には接続台が配設されており、
前記防水用笠は、透光性を有し、中空であり、その内部にはエアが充満していることを特徴とする
移動可能な防水性付き照明ランプ。
【請求項２】
前記本体の前記接続台と、前記防水用笠と、の結合は、螺接方式を採用することを特徴とする、請求項１に記載の移動可能な防水性付き照明ランプ。
【請求項３】
前記接続台と前記本体との間には防水パッキンが設けられていることを特徴とする、請求項１に記載の移動可能な防水性付き照明ランプ。
【請求項４】
前記接続台と前記防水用笠との間には防水パッキンが設けられていることを特徴とする、請求項１に記載の移動可能な防水性付き照明ランプ。
【請求項５】
前記防水用笠の前端にはフロント蓋台が設けられており、前記フロント蓋台の内側には反射笠が組み付けられていることを特徴とする、請求項１に記載の移動可能な防水性付き照明ランプ。
【発明の詳細な説明】
【技術分野】
【０００１】
本発明は、移動可能な防水性付き照明ランプに関し、特に、一般の照明ランプとすることができ、水に投入されても水面に浮き上げて水面を照明することができる、魚を誘うための照明ランプ、又は救助を求めるための照明ランプとして使用することができる移動可能な防水性付き照明ランプに関するものである。
【背景技術】
【０００２】
従来の照明ランプは、本体と、笠台と、底蓋と、から構成される。前記本体の上端の内部には発光ユニットが設けられており、前記発光ユニットの電源が電池を採用し、且つ前記発光ユニットのオン・オフがスイッチ部に制御され、前記底蓋によって前記電池が前記本体の内部に規制される。
【０００３】
また、前記笠台は、前記発光ユニットをカバーしており、前記本体の上端に締め付けられている。
【０００４】
しかし、このような照明ランプによれば、照明の効果を達成することができるが、その他の付加機能が全くない。
【発明の概要】
【発明が解決しようとする課題】
【０００５】
本発明の主な目的は、一般の照明ランプとすることができ、水に投入されても水面に浮き上って水面を照明することができる、魚を誘うための照明ランプ、又は救助を求めるための照明ランプとすることもできる移動可能な防水性付き照明ランプを提供することにある。
【課題を解決するための手段】
【０００６】
本発明の請求項１に記載の移動可能な防水性付き照明ランプによると、本体と、前記本体に配設されている防水用笠と、から構成される移動可能な防水性付き照明ランプにおいて、
前記本体の前端には発光ユニットが設けられており、前記本体の前端の外縁には接続台が配設されており、
前記防水用笠は、透光性を有し、中空であり、その内部にはエアが充満していることを特徴とする移動可能な防水性付き照明ランプである。
本発明の請求項２に記載の移動可能な防水性付き照明ランプによると、前記本体の前記接続台と、前記防水用笠と、の結合は、螺接方式を採用する。
本発明の請求項３に記載の移動可能な防水性付き照明ランプによると、前記接続台と前記本体との間には防水パッキンが設けられている。
本発明の請求項４に記載の移動可能な防水性付き照明ランプによると、前記接続台と前記防水用笠との間には防水パッキンが設けられている。
本発明の請求項５に記載の移動可能な防水性付き照明ランプによると、前記防水用笠の前端にはフロント蓋台が設けられており、前記フロント蓋台の内側には反射笠が組み付けられている。
【発明の効果】
【０００７】
本発明に係る移動可能な防水性付き照明ランプによれば、一般の照明ランプとすることができ、水に投入されても水面に浮き上げて水面を照明することができる、魚を誘うための照明ランプ、又は救助を求めるための照明ランプとすることができるという効果を有する。
【図面の簡単な説明】
【０００８】
【図１】本発明の構造を示す模式図である。
【図２】本発明の構造を示す断面図である。
【図３】本発明の使用状態を示す模式図である。
【図４】本発明の使用状態を示す模式図である。
【図５】本発明の使用状態を示す模式図である。
【図６】本発明の使用状態を示す模式図である。
【図７】本発明の使用状態を示す模式図である。
【発明を実施するための最良の形態】
【０００９】
以下、本発明の実施の形態を図面に基づいて説明する。
まず、図１及び図２を参照する。本発明に係る移動可能な防水性付き照明ランプは、本体１と、本体１に配設されている防水用笠２と、から構成される。
【００１０】
本体１は、その内部には電池１１が設けられている。その末端にはリア蓋１２が設けられており、リア蓋１２により電池１１が本体１から離脱することができなくなり、リア蓋１２の上ではスイッチ部１３が設けられている。本体１は、その前端には発光ユニット１４が設けられており、その前端の外縁には接続台１５が配設されている。接続台１５と本体１との間には防水パッキン１５１が設けられており、接続台１５の外周面には螺旋段１５２が設けられている。
【００１１】
防水用笠２は、透光性を有し、中空であり、その内部にはエアが充満している。防水用笠２の一端には、本体１の接続台１５に設けられた螺旋段１５１に応じて螺旋段２１が設けられている。螺旋段２１には防水パッキン２１１が嵌め設けられている。防水用笠２の前端にはフロント蓋台２２が設けられている。フロント蓋台２２の内側には反射笠２３が組み付けられている。
【００１２】
次に、本発明に係る移動可能な防水性付き照明ランプの使用状態を説明する。
螺旋段１５２、２１によって本体１の接続台１５に防水用笠２を螺接することにより、ユーザが本体１に設けられたスイッチ部１３を押圧すると、電池１１の電流が発光ユニット１４に供給されて発光ユニット１４が発光して、発光ユニット１４からの光線が防水用笠２の反射笠２３に反射されて防水用笠２の外部に射出される。このように、本発明が一般の照明ランプとすることができる。
【００１３】
また、ユーザがアウトドアに活動をする場合には、図３に示すように、高所に本発明を吊らせて周りを照明することができる。そして防水用笠２のフロント蓋台２２の外面に開設されたねじ穴２２１に三脚３を螺接して、地面に三脚３を立たせると、図４に示すように、本発明が周りを照明することができる。
【００１４】
また、図５を参照する。防水用笠２は中空であり、その内部にはエアが充満しており、防水性を有するので、水に本発明の防水性付き照明ランプを投入すると、防水用笠２により本発明が水面に浮き上がり、本発明の防水性付き照明ランプからの光線が外部に射出されるので、魚が誘われて集まり、魚を釣る者が魚を容易に釣り上げることができる。
【００１５】
またユーザが不意に水に落ちた場合には、本発明により救難チームが水に落ちたユーザの位置を容易に把握することができ、本発明を使用しているユーザを救い上げることができる。
【００１６】
本発明の最良の実施の形態について説明したが、当業者には明らかなように、本発明の精神を逸脱しない範囲で実施の形態を変形することが可能であり、そのような実施の形態は本発明の範囲に属するものである。
【産業上の利用可能性】
【００１７】
本発明は、機能を多様化にしたい照明ランプに適用することができる。
【符号の説明】
【００１８】
１：本体、２：防水用笠、３：三脚、１１：電池、１２：リア蓋、１３：スイッチ部、１４：発光ユニット、１５：接続台、２１：螺旋段、２２：フロント蓋台、２３：反射笠、１５１：防水パッキン、１５２：螺旋段、２１１：防水パッキン、２２１：ねじ穴。
【図１】
2010212064.tif 000003
【図２】
2010212064.tif 000004
【図３】
2010212064.tif 000005
【図４】
2010212064.tif 000006
【図５】
2010212064.tif 000007
【図６】
2010212064.tif 000008
【図７】
2010212064.tif 000009